(57)【要約】      （修正有）【課題】フロン系冷媒を用いずに、低温液化ガスの冷熱を、異なる目標冷却温度を有する複数の冷却負荷に利用可能にする。【解決手段】低温液化ガスの冷熱利用装置１０Ａは、低温液化ガスＬＧと低沸点不活性ガスＧｉとを熱交換する第１熱交換器１４と、冷却された低沸点不活性ガスと不凍液からなるブラインＢとを熱交換する第２熱交換器１８と、第１熱交換器及び第２熱交換器に導設された低沸点不活性ガス循環路１６と、第２熱交換器で冷却されたブラインを複数の冷却負荷に供給するためのブライン供給路２０とを備え、ブライン供給路は、第２熱交換器に導設される主循環路２２と、主循環路から分岐し、各々が複数の冷却負荷２６ａ〜２６ｃの一つに導設される複数の分岐循環路２４ａ〜２４ｃと、複数の分岐循環路の各々に設けられ、冷却負荷に供給されるブラインの温度を制御するための複数の温度制御部２８ａ〜２８ｃとを備える。【選択図】図１
2017190905.tif 000002
【特許請求の範囲】
【請求項１】
低温液化ガスが保有する冷熱を異なる目標冷却温度を有する複数の冷却負荷に供給するための低温液化ガスの冷熱利用装置であって、
前記低温液化ガスと低沸点不活性ガスとを熱交換する第１熱交換器と、
前記第１熱交換器で冷却された前記低沸点不活性ガスと不凍液からなるブラインとを熱交換する第２熱交換器と、
前記第１熱交換器及び前記第２熱交換器に導設され、前記低沸点不活性ガスが循環する低沸点不活性ガス循環路と、
前記第２熱交換器で冷却された前記ブラインを複数の冷却負荷に供給するためのブライン供給路と、
を備え、
前記ブライン供給路は、
前記第２熱交換器に導設され前記ブラインが循環するための主循環路と、
前記主循環路から分岐した複数の分岐循環路であって、該複数の分岐循環路の各々が前記複数の冷却負荷の一つに導設される複数の分岐循環路と、
前記複数の分岐循環路の各々に設けられ、前記冷却負荷に供給される前記ブラインの温度を制御するための複数の温度制御部と、
を備えることを特徴とする低温液化ガスの冷熱利用装置。
【請求項２】
前記温度制御部は、
前記分岐循環路の往路及び復路に接続された第１バイパス路と、
前記第１バイパス路に設けられた第１流量調整弁と、
前記冷却負荷入口の前記分岐循環路に設けられ、前記ブラインの温度を検出する第１温度センサと、
前記第１温度センサの検出値が入力され、前記第１流量調整弁の開度を制御する第１制御部と、
を備えることを特徴とする請求項１に記載の低温液化ガスの冷熱利用装置。
【請求項３】
前記低沸点不活性ガス循環路の往路及び復路に接続された第２バイパス路と、
前記第２バイパス路に設けられた第２流量調整弁と、
前記第２熱交換器と前記第２バイパス路の接続部との間の前記往路に設けられ、前記低沸点不活性ガスの温度を検出する第２温度センサと、
前記第２温度センサの検出値が入力され、前記第１流量調整弁の開度を制御する第２制御部と、
を備えることを特徴とする請求項１又は２に記載の低温液化ガスの冷熱利用装置。
【請求項４】
前記主循環路の往路及び復路に接続された第３バイパス路と、
前記第３バイパス路に設けられた第３流量調整弁と、
前記第３バイパス路の接続部と前記複数の分岐循環路との間の前記往路に設けられ、前記ブラインの温度を検出する第３温度センサと、
前記第３温度センサの検出値が入力され、前記第３流量調整弁の開度を制御する第３制御部と、
を備えることを特徴とする請求項１乃至３の何れか１項に記載の低温液化ガスの冷熱利用装置。
【請求項５】
低温液化ガスが保有する冷熱を異なる目標冷却温度を有する複数の冷却負荷に供給するための低温液化ガスの冷熱利用装置であって、
低温液化ガスと低沸点不活性ガスとを熱交換する第１熱交換器と、
前記第１熱交換器に対し前記低沸点不活性ガスが循環する低沸点不活性ガス循環路を介して並列に接続され、前記第１熱交換器で冷却された前記低沸点不活性ガスと冷媒とを熱交換するための複数の第２熱交換器と、
前記複数の第２熱交換器で冷却された前記冷媒の各々を複数の冷却負荷に供給するための複数の冷媒供給路と、
を備え、
前記低沸点不活性ガス循環路は、前記複数の第２熱交換器の各々に導設される複数の分岐循環路を含み、
前記複数の分岐循環路の各々は、
前記分岐循環路の往路及び復路に接続されたバイパス路と、
前記バイパス路に設けられた流量調整弁と、
前記第２熱交換管入口の前記往路に設けられ、前記低沸点不活性ガスの温度を検出する温度センサと、
前記温度センサの検出値が入力され、前記流量調整弁の開度を制御する制御部と、
を備えることを特徴とする低温液化ガスの冷熱利用装置。
【請求項６】
前記複数の冷媒供給路の各々は、
前記第２熱交換器で冷却された前記冷媒を貯留し、液状の前記冷媒のみを前記冷却負荷に供給するための液溜器と、
前記液溜器から気化した前記冷媒を前記第２熱交換器に戻すための戻り管路と、
を備えることを特徴とする請求項５に記載の低沸点不活性ガスの冷熱利用装置。
【請求項７】
低温液化ガスが保有する冷熱を異なる目標冷却温度を有する複数の冷却負荷に供給する低温液化ガスの冷熱利用方法であって、
低温液化ガスと低沸点不活性ガスとを熱交換する第１熱交換ステップと、
前記第１熱交換ステップで冷却された前記低沸点不活性ガスと熱交換媒体とを熱交換し、
前記熱交換媒体の流動点以上の温度範囲で、前記熱交換媒体を前記複数の冷却負荷を各々の前記目標冷却温度に冷却可能な複数の異なる温度に冷却する第２熱交換ステップと、
前記第２熱交換ステップで複数の異なる温度に冷却された前記熱交換媒体を、異なる温度の前記熱交換媒体ごとに複数の冷却負荷に供給する供給ステップと、
を含むことを特徴とする低温液化ガスの冷熱利用方法。
【請求項８】
前記第２熱交換ステップにおいて、
前記熱交換媒体との熱交換に供された後の前記低沸点不活性ガスの一部を前記熱交換媒体との熱交換に供される前の前記低沸点不活性ガスに供給して、前記熱交換媒体との熱交換に供される前記低沸点不活性ガスの温度を制御する温度制御ステップを含むことを特徴とする請求項７に記載の低温液化ガスの冷熱利用方法。
【発明の詳細な説明】
【技術分野】
【０００１】
本開示は、液化天然ガスなどの低温液化ガスの冷熱利用方法及び冷熱利用装置に関する。
【背景技術】
【０００２】
低温液化ガスのうち、液化天然ガスは約−１６０℃の低温を有し、液化空気は約−１９０℃の低温を有する。
液化天然ガス（以下「ＬＮＧ」とも言う。）などの超低温液化ガスがもつ冷熱を冷却負荷の冷却源として利用する方法は、従来から種々提案されている。
例えば、特許文献１には、ＬＮＧの保有冷熱を凍結点が低いＲ−２２やＲ−１２等のフロン系冷媒に移行させ、このフロン系冷媒を冷却源として冷却負荷の冷却に供する利用方法が開示されている。
特許文献２には、ＬＮＧの保有冷熱をアルコール系不凍液や塩化ナトリウム水溶液等の中間熱媒体に移行させ、この中間熱媒体で二酸化炭素を冷却し、さらに、この二酸化炭素で発電システムを構成する膨張タービンの作動流体を冷却する利用方法が開示されている。
【先行技術文献】
【特許文献】
【０００３】
【特許文献１】特開昭５２−１４３５４０号公報
【特許文献２】特開平０３−２４５７４４号公報
【発明の概要】
【発明が解決しようとする課題】
【０００４】
フロン系冷媒は、代替フロンを除いて、政府間国際協定及びオゾン層保護法に基づき、２０２０年までにその生産及び使用が全廃される予定であるため、将来に亘って利用することができない。
また、特許文献２には、ＬＮＧの冷熱を受け取る中間熱媒体として、アルコール系不凍液や塩化ナトリウム水溶液等を用いることが開示されているが、アルコール系不凍液の凍結点は、−１１５℃以上であり、塩化ナトリウム水溶液の凍結点（凝固点）はアルコール系不凍液より高い。従って、約−１６０℃以下の低温になるＬＮＧや液化空気の冷熱を受け取る中間熱媒体として、これらの不凍液を使用した場合、中間熱媒体としての機能を発揮できないおそれがある。
【０００５】
本発明の幾つかの実施形態は、フロン系冷媒を用いずに、ＬＮＧや液化空気等の低温液化ガスの冷熱を、異なる目標冷却温度を有する複数の冷却負荷に利用可能にすることを目的とする。
【課題を解決するための手段】
【０００６】
（１）幾つかの実施形態に係る低温液化ガスの冷熱利用装置は、
低温液化ガスが保有する冷熱を異なる目標冷却温度を有する複数の冷却負荷に供給するための低温液化ガスの冷熱利用装置であって、
前記低温液化ガスと低沸点不活性ガスとを熱交換する第１熱交換器と、
前記第１熱交換器で冷却された前記低沸点不活性ガスと不凍液からなるブラインとを熱交換する第２熱交換器と、
前記第１熱交換器及び前記第２熱交換器に導設され、前記低沸点不活性ガスが循環する低沸点不活性ガス循環路と、
前記第２熱交換器で冷却された前記ブラインを複数の冷却負荷に供給するためのブライン供給路と、を備え、
前記ブライン供給路は、
前記第２熱交換器に導設され前記ブラインが循環するための主循環路と、
前記主循環路から分岐した複数の分岐循環路であって、該複数の分岐循環路の各々が前記複数の冷却負荷の一つに導設される複数の分岐循環路と、
前記複数の分岐循環路の各々に設けられ、前記冷却負荷に供給される前記ブラインの温度を制御するための複数の温度制御部と、
を備える。
【０００７】
上記（１）の構成において、上記低沸点不活性ガスは流動点が低く、ＬＮＧや液化空気等の低温液化ガスの温度まで冷却されても流動状態を維持でき、中間熱媒体としての機能を保持できる。低沸点不活性ガスとして、例えば、水分や凍結点が高いＣＯ２を除去した乾燥空気、窒素ガス、アルゴンガス、ネオンガス等を用いることができる。
上記第２熱交換器では、低温液化ガスの冷熱を受け取った低沸点不活性ガスとブラインとを熱交換し、ブラインの流動点以上の温度範囲でブラインを冷却する。ブラインを流動点以上の温度に保持することで、熱媒体としての機能を保持できる。
また、複数の分岐循環路では、上記温度制御部によって、ブラインの温度を冷却負荷の目標冷却温度に冷却可能な温度に冷却する。
これによって、低温液化ガスが保有する冷熱によって、異なる目標冷却温度を有する複数の冷却負荷をそれらの目標冷却温度に冷却できる。
【０００８】
また、低沸点不活性ガスは気体であるために、不凍液と比べて熱容量が小さい。そのため、ブラインとの熱交換に際して、熱交換前後の温度変動幅を大きく取ることができ、その温度変動幅を制御することで、熱交換量の制御が容易になる。
また、熱交換前後の温度変動幅を大きく取れば、第２熱交換器に流入する低沸点不活性ガスの流量を小さくでき、これによって、低沸点不活性ガスの循環手段として低沸点不活性ガス循環路に設けられる送風機などの動力を低減できる。
【０００９】
（２）一実施形態では、前記（１）の構成において、
前記温度制御部は、
前記分岐循環路の往路及び復路に接続された第１バイパス路と、
前記第１バイパス路に設けられた第１流量調整弁と、
前記冷却負荷入口の前記分岐循環路に設けられ、前記ブラインの温度を検出する第１温度センサと、
前記第１温度センサの検出値が入力され、前記第１流量調整弁の開度を制御する第１制御部と、を備える。
【００１０】
上記（２）の構成において、冷却負荷と熱交換した後のブラインは昇温しており、昇温したブラインの一部を上記第１バイパス路を介して分岐循環路の往路に戻すことで、冷却負荷と熱交換する前のブラインの温度を制御できる。
上記（２）の構成によれば、上記第１流量調整弁の開度を制御し、分岐循環路の往路に戻るブラインの流量を制御することで、冷却負荷に供給されるブラインの温度を、各冷却負荷の目標冷却温度に冷却可能な温度に制御できる。
【００１１】
（３）一実施形態では、前記（１）又は（２）の構成において、
前記低沸点不活性ガス循環路の往路及び復路に接続された第２バイパス路と、
前記第２バイパス路に設けられた第２流量調整弁と、
前記第２熱交換器と前記第２バイパス路の接続部との間の前記往路に設けられ、前記低沸点不活性ガスの温度を検出する第２温度センサと、
前記第２温度センサの検出値が入力され、前記第２流量調整弁の開度を制御する第２制御部と、を備える。
【００１２】
上記（３）の構成において、第２熱交換器でブラインと熱交換し、昇温した低沸点不活性ガスの一部を上記第２バイパス路を介して低沸点不活性ガス循環路の往路に戻すことで、第２熱交換器に供給される低沸点不活性ガスの温度を制御できる。
上記（３）の構成によれば、上記第２制御部によって上記第２流量調整弁の開度を制御し、第２熱交換器の入口に戻る低沸点不活性ガスの流量を制御することで、第２熱交換器に流入する低沸点不活性ガスの温度を制御できる。これによって、低沸点不活性ガスと熱交換するブラインの温度制御が可能になり、熱交換時にブラインをその流動点以上の温度に制御することで、ブラインの熱媒体としての機能を持続できる。
また、（３）の構成と上記温度制御部との組み合わせで、異なる目標冷却温度を有する複数の冷却負荷に供給されるブラインの温度制御を正確に行うことができる。
【００１３】
（４）一実施形態では、前記（１）〜（３）の何れかの構成において、
前記主循環路の往路及び復路に接続された第３バイパス路と、
前記第３バイパス路に設けられた第３流量調整弁と、
前記第３バイパス路の接続部と前記複数の分岐循環路との間の前記往路に設けられ、前記ブラインの温度を検出する第３温度センサと、
前記第３温度センサの検出値が入力され、前記第３流量調整弁の開度を制御する第３制御部と、
を備える。
上記（４）の構成によれば、冷却負荷で昇温され分岐循環路から主循環路に戻るブラインの一部を上記第３バイパス路を介して主循環路の往路に戻すことで、分岐循環路に供給するブラインの温度を制御できる。このように、分岐循環路に流入するブラインの温度を主循環路で予め制御することで、分岐循環路に設けられた温度制御部によるブラインの温度制御が容易になる。
【００１４】
（５）幾つかの実施形態に係る低温液化ガスの冷熱利用装置は、
低温液化ガスが保有する冷熱を異なる目標冷却温度を有する複数の冷却負荷に供給するための低温液化ガスの冷熱利用装置であって、
低温液化ガスと低沸点不活性ガスとを熱交換する第１熱交換器と、
前記第１熱交換器に対し前記低沸点不活性ガスが循環する低沸点不活性ガス循環路を介して並列に接続され、前記第１熱交換器で冷却された前記低沸点不活性ガスと冷媒とを熱交換するための複数の第２熱交換器と、
前記複数の第２熱交換器で冷却された前記冷媒の各々を複数の冷却負荷に供給するための複数の冷媒供給路と、
を備え、
前記低沸点不活性ガス循環路は、前記複数の第２熱交換器の各々に導設される複数の分岐循環路を含み、
前記複数の分岐循環路の各々は、
前記分岐循環路の往路及び復路に接続されたバイパス路と、
前記バイパス路に設けられた流量調整弁と、
前記第２熱交換管入口の前記往路に設けられ、前記低沸点不活性ガスの温度を検出する温度センサと、
前記温度センサの検出値が入力され、前記流量調整弁の開度を制御する制御部と、
を備える。
【００１５】
上記（５）の構成によれば、複数の第２熱交換器から複数の冷却負荷に液状の冷媒を供給する。これによって、複数の冷却負荷は、冷媒の気化による潜熱利用によって冷却されるため、冷却負荷の冷却効果を向上できる。その他、上記（１）の構成によって得られる作用効果と同様の作用効果を得ることができる。
また、上記複数の分岐循環路の各々には、上記バイパス路、上記流量調整弁、上記温度センサ及び上記制御部を備える低沸点不活性ガスの温度制御手段が設けられるため、分岐循環路の各々で第２熱交換器に供される低沸点不活性ガスの温度制御が独自に可能となる。従って、第２熱交換器で低沸点不活性ガスと熱交換する冷媒の温度も分岐循環路ごとに制御可能になる。
こうして、分岐循環路ごとに温度制御された冷媒によって、異なる目標冷却温度を有する複数の冷却負荷を各々の目標冷却温度に冷却できる。
【００１６】
（６）一実施形態では、前記（５）の構成において、
前記複数の冷媒供給路の各々は、
前記第２熱交換器で冷却された前記冷媒を貯留し、液状の前記冷媒のみを前記冷却負荷に供給するための液溜器と、
前記液溜器から気化した前記冷媒を前記第２熱交換器に戻すための戻り管路と、
を備える。
上記（６）の構成によれば、上記液溜器で冷媒の気液分離を行い、液状の冷媒のみを冷却負荷に供給できるので、液状の冷媒の気化による潜熱を利用して、冷却負荷の冷却効果を高めることができる。
【００１７】
（７）幾つかの実施形態に係る低温液化ガスの冷熱利用方法は、
低温液化ガスが保有する冷熱を異なる目標冷却温度を有する複数の冷却負荷に供給する低温液化ガスの冷熱利用方法であって、
低温液化ガスと低沸点不活性ガスとを熱交換する第１熱交換ステップと、
前記第１熱交換ステップで冷却された前記低沸点不活性ガスと熱交換媒体とを熱交換し、前記熱交換媒体の流動点以上の温度範囲で、前記熱交換媒体を前記複数の冷却負荷を各々の前記目標冷却温度に冷却可能な複数の異なる温度に冷却する第２熱交換ステップと、
前記第２熱交換ステップで複数の異なる温度に冷却された前記熱交換媒体を、異なる温度の前記熱交換媒体ごとに複数の冷却負荷に供給する供給ステップと、
を含む。
【００１８】
上記（７）の方法によれば、上記第１熱交換ステップで、低温液化ガスの温度域で流動性を保持可能な低沸点不活性ガスを中間熱媒体として用い、低温液化ガスが保有する冷熱を低沸点不活性ガスに移行させる。
次に、上記第２熱交換ステップで、低沸点不活性ガスと上記熱交換媒体とを熱交換させ、熱交換媒体を冷却する。その際、熱交換媒体をその流動点以上の温度範囲で冷却することで、熱交換媒体を熱媒体としての機能を保持させると共に、複数の冷却負荷を各々の目標冷却温度に冷却可能な複数の温度に熱交換媒体を冷却する。
さらに、上記供給ステップにおいて、上記第２熱交換ステップで複数の異なる温度に冷却された熱交換媒体を、異なる温度の熱交換媒体ごとに複数の冷却負荷に供給することで、複数の冷却負荷を夫々の目標冷却温度に冷却できる。
これによって、低温液化ガスが保有する冷熱によって、異なる目標冷却温度を有する複数の冷却負荷をそれらの目標冷却温度に冷却できる。
【００１９】
また、低沸点不活性ガスは従来の不凍液と比べて熱容量が小さいため、ブラインとの熱交換に際して、熱交換前後の温度変動幅を大きく取ることができる。そのため、その温度変動幅を制御することで、熱交換量の制御を正確に行うことができる。
また、上記温度変動幅を大きく取れば、第２熱交換器に流入させる低沸点不活性ガスの流量を小さくでき、そのため、低沸点不活性ガス循環路に低沸点不活性ガスを循環させるために設けられる送風機などの動力を低減できる。
【００２０】
（８）一実施形態では、前記（７）の方法において、
前記第２熱交換ステップにおいて、
前記熱交換媒体との熱交換に供された後の前記低沸点不活性ガスの一部を前記熱交換媒体との熱交換に供される前の前記低沸点不活性ガスに供給して、前記熱交換媒体との熱交換に供される前記低沸点不活性ガスの温度を制御する温度制御ステップを含む。
上記（８）の方法によれば、上記温度制御ステップによって、簡易な方法で、熱交換媒体との熱交換に供される低沸点不活性ガスの温度制御が可能になる。これによって、冷却負荷を冷却する熱交換媒体の温度を制御できるため、熱交換媒体をその流動点以上の温度に制御しながら、複数の冷却負荷を各々の目標冷却温度に冷却できる。
【発明の効果】
【００２１】
幾つかの実施形態によれば、フロン系冷媒を用いずに、ＬＮＧや液化空気等の低温液化ガスの冷熱を、異なる目標冷却温度を有する複数の冷却負荷の冷却源として利用できる。
【図面の簡単な説明】
【００２２】
【図１】一実施形態に係る冷熱利用装置の系統図である。
【図２】一実施形態に係る冷熱利用装置の系統図である。
【図３】一実施形態に係る冷熱利用方法の工程図である。
【発明を実施するための形態】
【００２３】
以下、添付図面を参照して本発明の幾つかの実施形態について説明する。ただし、実施形態として記載され又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２４】
幾つかの実施形態に係る冷熱利用装置１０Ａは、図１に示すように、低温液化ガスＬＧと低沸点不活性ガスＧｉとを熱交換するための第１熱交換器１４を備える。第１熱交換器１４には、低温液化ガスＬＧが循環する低温液化ガス循環路１２と、低沸点不活性ガスＧｉが循環する循環路１６とが導設される。第１熱交換器１４で低温液化ガスＬＧと低沸点不活性ガスＧｉとが熱交換され、低温液化ガスＬＧが保有する冷熱は低沸点不活性ガスＧｉに移行する。
【００２５】
低温液化ガスＬＧは、例えば、ＬＮＧや液化空気等である。また、低沸点不活性ガスＧｉとして、例えば、乾燥空気、窒素ガス、アルゴンガス、ネオンガス、等を用いることができる。これらの低沸点不活性ガスＧｉは、低温液化ガスＬＧの温度域で凍結せず、流動性を保持できる。例えば、窒素ガスの沸点は−１９６℃であり、低温液化ガスＬＧと熱交換しても気体状態を保持できる。低沸点不活性ガスＧｉとして空気を用いる場合、水分及び沸点が−７９℃と比較的高いＣＯ２を除去した乾燥空気を用いる必要がある。
【００２６】
冷熱利用装置１０Ａは、低温液化ガスＬＧの冷熱を受け取った低沸点不活性ガスＧｉと不凍液からなるブラインＢとを熱交換するための第２熱交換器１８を備える。第２熱交換器１８には、循環路１６及びブラインＢが循環する主循環路２２が導設される。第２熱交換器１８で低沸点不活性ガスＧｉとブラインＢとが熱交換され、この熱交換で低沸点不活性ガスＧｉが低温液化ガスＬＧから受け取った冷熱はブラインＢに移行する。
冷熱利用装置１０Ａは、さらに、第２熱交換器１８で冷熱を受け取り冷却されたブラインＢを複数の冷却負荷２６ａ、２６ｂ、２６ｃに供給するためのブライン供給路２０を備える。ブライン供給路２０は、主循環路２２と、主循環路２２から分岐し複数の冷却負荷２６ａ、２６ｂ、２６ｃの一つに導設される複数の分岐循環路２４ａ、２４ｂ、２４ｃを含む。
さらに、複数の分岐循環路２４ａ、２４ｂ、２４ｃの各々に、これら分岐循環路を循環するブラインＢの温度を制御する複数の温度制御部２８ａ、２８ｂ、２８ｃを備える。
【００２７】
低沸点不活性ガスＧｉは流動点が低く、ＬＮＧや液化空気等の低温液化ガスの温度まで冷却されても流動状態を維持でき、中間熱媒体としての機能を保持できる。低沸点不活性ガスとして、例えば、水分や凍結点が高いＣＯ２を除去した乾燥空気、窒素ガス、アルゴンガス、ネオンガス等を用いることができる。
第１熱交換器１４で、低温液化ガスＬＧと低沸点不活性ガスＧｉとが熱交換され、低温液化ガスＬＧが保有する冷熱が低沸点不活性ガスＧｉに移行する。
第２熱交換器１８では、低温液化ガスＬＧの冷熱を受け取った低沸点不活性ガスＧｉとブラインＢとが熱交換され、ブラインＢは流動点以上の温度範囲で冷却される。ブラインＢを流動点以上の温度に保持することで、熱媒体としての機能を保持できる。ブラインＢとして、例えば、ハイドロフルオロエーテル（正式名；Methyl Nonafluoroisobuthyl Ether又はMethyl Nonafluorobuthyl Ether）を用いることができる。ハイドロフルオロエーテルは−１３５℃付近の凝固点を有し、この温度以上で流動性を有する。そのため、超低温で熱媒体としての機能を保持できる。
【００２８】
複数の分岐循環路２４ａ〜２４ｃでは、温度制御部２８ａ〜２８ｃによって、ブラインＢの温度を冷却負荷２６ａ〜２６ｃを夫々の目標冷却温度に冷却可能な温度に冷却する。
これによって、低温液化ガスＬＧが保有する冷熱によって、異なる目標冷却温度を有する複数の冷却負荷２６ａ〜２６ｃを各々の目標冷却温度に冷却できる。
【００２９】
低沸点不活性ガスＧｉは気体であるため、不凍液と比べて熱容量が小さい。そのため、ブラインＢとの熱交換に際して、熱交換前後の温度変動幅を大きく取ることができる。その温度変動幅を制御することで、第２熱交換器１８における熱交換量の制御が容易になる。
また、上記温度変動幅を大きく取れば、第２熱交換器１８に流入する低沸点不活性ガスＧｉの流量を小さくでき、これによって、低沸点不活性ガスＧｉの循環手段として循環路１６に設けられる送風機などの動力を低減できる。
【００３０】
図示された実施形態では、複数の冷却負荷２６ａ〜２６ｃは、夫々冷凍庫３０ａ、３０ｂ及び冷蔵庫３０ｃに設けられた冷却器であり、これら冷却器には、複数の分岐循環路２４ａ〜２４ｃに連通した冷却管が配設され、これら冷却管を循環するブラインＢによって庫内が所望温度に冷却される。
例えば、図１に示すように、冷凍庫３０ａの庫内は−６０℃に冷却され、冷凍庫３０ｂの庫内は−２５℃に冷却され、冷蔵庫３０ｃの庫内は０℃に冷却される。
上記庫内温度となるように、冷却負荷２６ａには−７０℃のブラインＢが供給され、冷却負荷２６ｂには−３５℃のブラインＢが供給され、冷却負荷２６ｃには−１０℃のブラインＢが供給される。
【００３１】
図示した実施形態では、循環路１６に低沸点不活性ガスＧｉを循環させるための送風機３２が設けられ、低沸点不活性ガスＧｉは送風機３２によって循環路１６を循環する。主循環路２２の往路及び分岐循環路２４ａ〜２４ｃには、ブラインＢを循環させるためのポンプ３４及び３６ａ、３６ｂ、３６ｃが設けられ、これらポンプの作動によってブラインＢは、主循環路２２及び分岐循環路２４ａ〜２４ｃを循環する。
【００３２】
一実施形態では、図１に示すように、温度制御部２８ａ〜２８ｃの各々は、分岐循環路２４ａ〜２４ｃの往路及び復路に接続された第１バイパス路３８ａ、３８ｂ、３８ｃと、第１バイパス路３８ａ〜３８ｃに設けられた第１流量調整弁４０ａ、４０ｂ、４０ｃと、を備える。また、冷却負荷２６ａ〜２６ｃの往路において、分岐循環路２４ａ〜２４ｃの入口に第１温度センサ４２ａ、４２ｂ、４２ｃが設けられ、第１温度センサ４２ａ〜４２ｃの検出値は第１制御部４４ａ、４４ｂ、４４ｃに入力される。第１制御部４４ａ〜４４ｃは、第１温度センサ４２ａ〜４２ｃの検出値に基づいて、第１流量調整弁４０ａ〜４０ｃの開度を制御する。
【００３３】
冷却負荷２６ａ〜２６ｃと熱交換した後のブラインＢは昇温しており、昇温したブラインを第１バイパス路３８ａ〜３８ｃを介して分岐循環路２４ａ〜２４ｃの往路に戻すことで、冷却負荷２６ａ〜２６ｃと熱交換する前のブラインの温度を制御できる。
上記構成によれば、第１流量調整弁４０ａ〜４０ｃの開度を制御し、分岐循環路２４ａ〜２４ｃの往路に戻るブラインの流量を制御することで、冷却負荷２６ａ〜２６ｃを冷却するブラインの温度を、各冷却負荷を各々の目標冷却温度に冷却可能な温度に制御できる。
これによって、簡易な構成で、冷却負荷２６ａ〜２６ｃを夫々の異なる目標冷却温度に冷却できる。
【００３４】
図示した実施形態では、図１に示すように、分岐循環路２４ａ〜２４ｃの往路において、第１バイパス路３８ａ〜３８ｃの接続部より上流側に流量調整弁４６ａ、４６ｂ、４６ｃが設けられる。
第１制御部４４ａ〜４４ｃによって、第１流量調整弁４０ａ〜４０ｃと共に、流量調整弁４６ａ〜４６ｃを制御することで、冷却負荷２６ａ〜２６ｃに供給されるブラインＢの温度だけでなく、ブラインＢの流量も正確に制御できる。これによって、冷却負荷２６ａ〜２６ｃを夫々の異なる目標冷却温度に正確に制御できる。
【００３５】
一実施形態では、図１に示すように、循環路１６の往路及び復路に第２バイパス路４８が接続され、第２バイパス路４８に第２流量調整弁５０が設けられる。また、第２熱交換器１８と第２バイパス路４８の接続部との間の循環路１６に第２温度センサ５２が設けられ、第２温度センサ５２の検出値は第２制御部５４に入力される。第２制御部５４は、第２温度センサ５２の検出値に基づいて、第２流量調整弁５０の開度を制御する。
上記構成において、第２熱交換器１８でブラインＢと熱交換し、昇温した低沸点不活性ガスＧｉの一部を第２バイパス路４８を介して循環路１６の往路に戻すことで、第２熱交換器１８に供給される低沸点不活性ガスＧｉの温度を制御できる。
【００３６】
上記構成によれば、第２制御部５４によって第２流量調整弁５０の開度を制御し、第２熱交換器１８の出口から入口に戻る低沸点不活性ガスＧｉの流量を制御することで、第２熱交換器１８で熱交換される低沸点不活性ガスＧｉの温度を制御できる。これによって、低沸点不活性ガスＧｉと熱交換されるブラインＢの温度制御が可能になる。また、ブラインＢをその流動点以上の温度に制御することで、ブラインＢの熱媒体としての機能を持続できる。
さらに、この温度制御手段と温度制御部２８ａ〜２８ｃとの組み合わせで、冷却負荷２６ａ〜２６ｃに供給されるブラインＢの温度制御を正確に行うことができる。
例えば、図１に示すように、第２熱交換器１８に−１００℃の低沸点不活性ガスＧｉが供給され、第２熱交換器１８でブラインＢと熱交換した後、−７０℃となって第２熱交換器１８から流出する。
【００３７】
図示した実施形態では、第１熱交換器１４と第２バイパス路４８の接続部との間の循環路１６に、流量調整弁５６を備える。第２流量調整弁５０と共に、流量調整弁５６を第２制御部５４で制御することで、第２熱交換器１８に供給される低沸点不活性ガスＧｉの温度だけでなく、低沸点不活性ガスＧｉの流量も正確に制御できる。
【００３８】
一実施形態では、図１に示すように、主循環路２２の往路及び復路に接続された第３バイパス路５８と、第３バイパス路５８に設けられた第３流量調整弁６０と、を備える。また、第３バイパス路５８の接続部と複数の分岐循環路２４ａ〜２４ｃとの間の往路にブラインＢの温度を検出する第３温度センサ６２が設けられ、第３温度センサ６２の検出値は第３制御部６４に入力され、第３制御部６４は第３温度センサ６２の検出値に基づいて第３流量調整弁６０の開度を制御する。
上記構成によれば、冷却負荷２６ａ〜２６ｃで昇温され分岐循環路２４ａ〜２４ｃから主循環路２２に戻るブラインＢの一部を第３バイパス路５８を介して主循環路２２の往路に戻すことで、分岐循環路２４ａ〜２４ｃに供給されるブラインＢの温度を制御できる。
このように、分岐循環路２４ａ〜２４ｃに流入するブラインの温度を主循環路２２で予め制御することで、分岐循環路２４ａ〜２４ｃに設けられた温度制御部２８ａ〜２８ｃによるブラインの温度制御が容易になる。
【００３９】
図示した実施形態では、主循環路２２の往路において、第２熱交換器１８と第３バイパス路５８の接続部との間に流量調整弁６６を備える。第３制御部６４によって、第３流量調整弁６０と共に、流量調整弁６６を制御することで、冷却負荷２６ａ〜２６ｃに供給されるブラインＢの温度だけでなく、ブラインＢの流量も正確に制御できる。
図示した実施形態では、図１に示すように、第２熱交換器１８の入口におけるブラインＢの温度を−６０℃に制御し、第２熱交換器１８の出口におけるブラインＢの温度を流動点以上の−９５℃に制御している。
なお、図１に、冷熱利用装置１０Ａの作動の一例として、複数の部位における低温液化ガスＬＧ、低沸点不活性ガスＧｉ及びブラインＢの温度を例示している。
【００４０】
幾つかの実施形態に係る冷熱利用装置１０Ｂは、図２に示すように、低温液化ガスＬＧと低沸点不活性ガスＧｉとを熱交換するための第１熱交換器１４を備える。第１熱交換器１４には、低温液化ガスＬＧが循環する循環路１２と、低沸点不活性ガスＧｉが循環する循環路１６とが導設される。第１熱交換器１４で低温液化ガスＬＧと低沸点不活性ガスＧｉとが熱交換され、低温液化ガスＬＧが保有する冷熱は低沸点不活性ガスＧｉに移行する。
また、低温液化ガスＬＧの冷熱を受け取った低沸点不活性ガスＧｉと冷媒Ｒとを熱交換するための複数の第２熱交換器１８ａ、１８ｂを備える。複数の第２熱交換器１８ａ、１８ｂは、第１熱交換器１４に対し分岐循環路１６ａ及び１６ｂを介して並列に接続される。さらに、第２熱交換器１８ａ、１８ｂで冷却された冷媒Ｒを複数の冷却負荷２６ｂ、２６ｃに供給するための複数の冷媒供給路２２ａ、２２ｂを備える。
冷媒Ｒとして、例えば、ＮＨ３、ＣＯ２、Ｒ４０４ａ、Ｒ５０７、Ｒ４１０、Ｒ４０７等を用いることができる。
【００４１】
循環路１６は、複数の第２熱交換器１８ａ、１８ｂの各々に導設される複数の分岐循環路１６ａ、１６ｂを含む。分岐循環路１８ａ、１８ｂの各々は、分岐循環路１８ａ、１８ｂの往路及び復路に接続されたバイパス路４８ａ、４８ｂと、バイパス路４８ａ、４８ｂの各々に設けられた流量調整弁５０ａ、５０ｂと、を備える。また、分岐循環路１８ａ、１８ｂの往路において、第２熱交換器１８の入口に低沸点不活性ガスＧｉの温度を検出する温度センサ５２ａ、５２ｂが設けられる。温度センサ５２ａ、５２ｂの検出値は制御部５４ａ、５４ｂに入力され、制御部５４ａ、５４ｂは、温度センサ５２ａ、５２ｂの検出値に基づいて、流量調整弁５０ａ、５０ｂの開度を制御する。
【００４２】
上記構成において、第２熱交換器１８ａ、１８ｂでは、低温液化ガスＬＧの冷熱を受け取った低沸点不活性ガスＧｉと冷媒Ｒとが熱交換され、冷媒Ｒは流動点以上の温度範囲で冷却される。第２熱交換器１８ａ、１８ｂで冷却された冷媒Ｒは、夫々冷媒供給路２２ａ、２２ｂを介して複数の冷却負荷２６ｂ、２６ｃに供給される。
複数の分岐循環路１６ａ、１６ｂの各々には、バイパス路４８ａ、４８ｂ、流量調整弁５０ａ、５０ｂ、温度センサ５２ａ、５２ｂ及び制御部５４ａ、５４ｂを有する低沸点不活性ガスＧｉの温度制御手段が設けられているため、第２熱交換器１８ａ、１８ｂに供給される低沸点不活性ガスＧｉの温度を夫々独自に制御できる。従って、第２熱交換器１８ａ、１８ｂで低沸点不活性ガスＧｉと熱交換する冷媒Ｒを別個に温度制御できる。
【００４３】
上記構成によれば、複数の冷却負荷２６ｂ、２６ｃに供給される熱交換媒体として冷媒Ｒを用い、冷媒Ｒの気化による潜熱利用によって複数の冷却負荷２６ｂ、２６ｃを冷却するため、冷却負荷２６ｂ、２６ｃの冷却効果を向上できる。
また、低沸点不活性ガスＧｉは気体であるため、不凍液と比べて熱容量が小さい。そのため、冷媒Ｒとの熱交換に際して、熱交換前後の温度変動幅を大きく取ることができる。従って、その温度変動幅を制御することで、第２熱交換器１８ａ、１８ｂにおける熱交換量を制御できる。
【００４４】
また、熱交換前後の上記温度変動幅を大きく取れば、第２熱交換器１８ａ、１８ｂに流入する低沸点不活性ガスＧｉの流量を小さくでき、これによって、低沸点不活性ガスＧｉの循環手段として分岐循環路１６ａ、１６ｂに設けられる送風機などの動力を低減できる。
また、複数の分岐循環路１６ａ、１６ｂの各々において、簡易な構成で、独自に第２熱交換器１８ａ、１８ｂに供される低沸点不活性ガスＧｉの温度制御が可能であるため、冷媒供給路２２ａ、２２ｂごとに温度制御された冷媒Ｒによって、異なる目標冷却温度を有する複数の冷却負荷２６ｂ、２６ｃを各々の目標冷却温度に冷却できる。
【００４５】
図示した実施形態では、図２に示すように、循環路１６ａ、１６ｂに低沸点不活性ガスＧｉを循環させるための送風機３２ａ、３２ｂが設けられ、複数の冷媒供給路２２ａ、２２ｂに、冷媒Ｒを冷却負荷２６ｂ、２６ｃに供給させるためのポンプ３４ａ、３４ｂが設けられる。
また、冷媒供給路２２ａ、２２ｂは、液溜器６８ａ、６８ｂと冷却負荷２６ｂ、２６ｃとの間に導設された循環路で構成され、ポンプ３４ａ、３４ｂは該循環路の往路に設けられる。
また、複数の冷却負荷２６ｂ、２６ｃは、夫々冷凍庫３０ｂ、冷蔵庫３０ｃに設けられた冷却器であり、これら冷却器には、複数の冷媒供給路２２ａ、２２ｂに連通した冷却管が配設され、これら冷却管を循環する冷媒Ｒによって庫内が図２に示す所望温度に冷却される。
【００４６】
図示した実施形態では、第１熱交換器１４とバイパス路４８ａ、４８ｂの接続部との間の循環路１６ａ、１６ｂに、流量調整弁５６ａ、５６ｂを備える。制御部５４ａ、５４ｂによって、流量調整弁５０ａ、５０ｂと共に、流量調整弁５６ａ、５６ｂを制御することで、第２熱交換器１８に供給される低沸点不活性ガスＧｉの温度だけでなく、低沸点不活性ガスＧｉの流量も正確に制御できる。
図示した実施形態では、図２に示すように、第２熱交換器１８ａの入口における低沸点不活性ガスＧｉの温度を−５０℃〜−７０℃に制御し、第２熱交換器１８ａの出口における低沸点不活性ガスＧｉの温度を−４０℃に制御している。
また、第２熱交換器１８ｂの入口における低沸点不活性ガスＧｉの温度を−５０℃に制御し、第２熱交換器１８ｂの出口における低沸点不活性ガスＧｉの温度を−１５℃に制御している。
【００４７】
一実施形態では、図２に示すように、複数の冷媒供給路２２ａ、２２ｂの各々は、第２熱交換器１８ａ、１８ｂで冷却された冷媒Ｒを貯留し、液状の冷媒Ｒのみを冷却負荷２６ｂ、２６ｃに供給する液溜器６８ａ、６８ｂと、液溜器６８ａ、６８ｂから気化した冷媒Ｒを第２熱交換器１８ａ、１８ｂに戻すための戻り管路７０ａ、７０ｂと、を備えている。
上記構成によれば、液溜器６８ａ、６８ｂで冷媒Ｒの気液分離を行い、液状の冷媒Ｒのみ冷却負荷２６ｂ、２６ｃに供給するので、液状の冷媒Ｒの気化潜熱で冷却負荷２６ｂ、２６ｃを冷却でき、冷却負荷２６ｂ、２６ｃの冷却効果を高めることができる。
なお、図２に、冷熱利用装置１０Ｂの作動の一例として、複数の部位における低温液化ガスＬＧ、低沸点不活性ガスＧｉ及び冷媒Ｒの温度を例示している。
【００４８】
幾つかの実施形態に係る冷熱利用方法は、図３に示すように、第１熱交換ステップＳ１０と、第２熱交換ステップＳ１２と、供給ステップＳ１４と、を含む。
第１熱交換ステップＳ１０では、低温液化ガスと低沸点不活性ガスとを熱交換させ、低温液化ガスが保有する冷熱を低沸点不活性ガスに移行する。
第２熱交換ステップＳ１２では、第１熱交換ステップＳ１０で低温液化ガスの冷熱を受け取り冷却された低沸点不活性ガスと熱交換媒体とを熱交換させ、低沸点不活性ガスが低温液化ガスから受け取った冷熱を熱交換媒体に移行させる。このとき、熱交換媒体は、流動点以上の温度範囲を維持しながら、異なる目標冷却温度を有する複数の冷却負荷を各々の目標冷却温度に冷却可能な温度に冷却される。
供給ステップＳ１４では、第２熱交換ステップＳ１２で複数の異なる温度に冷却された熱交換媒体は、異なる温度の熱交換媒体ごとに複数の冷却負荷に供給される。
【００４９】
上記方法によれば、低温液化ガスの温度域で流動性を保持可能な低沸点不活性ガスを中間熱媒体として用い、第２熱交換ステップＳ１２で、熱交換媒体をその流動点以上の温度範囲に維持しながら、低沸点不活性ガスから熱交換媒体に冷熱の授受を行うことで、低温液化ガスが保有する冷熱の有効利用が可能になる。
また、第２熱交換ステップＳ１２で複数の異なる温度に冷却された熱交換媒体を、異なる温度の熱交換媒体ごとに複数の冷却負荷に供給することで、複数の冷却負荷を夫々の目標冷却温度に冷却できる。
こうして、低温液化ガスが保有する冷熱によって、異なる目標冷却温度を有する複数の冷却負荷をそれらの目標冷却温度に冷却できる。
【００５０】
また、低沸点不活性ガスは気体であるため、不凍液と比べて熱容量が小さい。そのため、熱交換媒体との熱交換に際して、熱交換前後の温度変動幅を大きく取ることができる。従って、その温度変動幅を制御することで、熱交換媒体との熱交換量を制御できる。
また、上記温度変動幅を大きく取れば、第２熱交換ステップＳ１２に用いる低沸点不活性ガスの流量を小さくでき、これによって、低沸点不活性ガスの循環手段として用いられる送風機などの動力を低減できる。
【００５１】
一実施形態では、熱交換媒体として不凍液からなるブラインを用いる。この実施形態では、ブラインが保有する顕熱によって冷却負荷を冷却する。冷却負荷又は低沸点不活性ガスとの熱交換に際して、熱交換後の温度変化したブラインの一部を熱交換前のブラインに供給することで、熱交換前のブラインの温度を制御できる。この場合、ブラインは相変化しないので、温度制御が容易になる。
一実施形態では、熱交換媒体として冷媒を用いる。この場合、冷媒の気化潜熱で冷却負荷を冷却できるため、冷却負荷の冷却効果を向上できる。
【００５２】
一実施形態では、図３に示すように、第２熱交換ステップＳ１２において、温度制御ステップＳ１２ａを含む。
温度制御ステップＳ１２ａでは、例えば、図１及び図２に示す手段によって、熱交換媒体との熱交換に供され、昇温した低沸点不活性ガスの一部を熱交換媒体との熱交換に供される前の低沸点不活性ガスに供給することで、熱交換媒体との熱交換に供される低沸点不活性ガスの温度を制御する。
上記方法によれば、温度制御ステップＳ１２ａによって、簡易な方法で、熱交換媒体との熱交換に供される低沸点不活性ガスの温度制御が可能になる。これによって、冷却負荷を冷却する熱交換媒体の温度制御が可能になるため、熱交換媒体をその流動点以上の温度に制御しながら、複数の冷却負荷をそれら独自の目標冷却温度に冷却できる。
【００５３】
一実施形態では、熱交換媒体として不凍液からなるブラインを用い、図１に示す冷熱利用装置１０Ａを用いる。図１に示すように、第１流量調整弁４０ａ〜４０ｃの開度を制御し、分岐循環路２４ａ〜２４ｃの往路に戻るブラインの流量を制御することで、冷却負荷２６ａ〜２６ｃを冷却するブラインの温度を、各冷却負荷を各々の目標冷却温度に冷却可能な温度に制御できる。この場合、ブラインは相変化しないので、冷却負荷２６ａ〜２６ｃに供給されるブラインの温度制御が容易になる。
また、図１に示すように、冷却負荷２６ａ〜２６ｃで昇温され分岐循環路２４ａ〜２４ｃから主循環路２２に戻るブラインＢの一部を第３バイパス路５８を介して主循環路２２の往路に戻すことで、分岐循環路２４ａ〜２４ｃに供給されるブラインＢの温度を制御できる。この場合、ブラインは相変化しないので、冷却負荷２６ａ〜２６ｃに供給されるブラインの温度制御が容易になる。
【産業上の利用可能性】
【００５４】
幾つかの実施形態によれば、フロン系冷媒を用いずに、ＬＮＧや液化空気等の低温液化ガスの冷熱を、異なる目標冷却温度を有する複数の冷却負荷、例えば、冷凍庫や冷蔵庫等に設けられた冷却器の冷却源として利用できる。
【符号の説明】
【００５５】
１０Ａ、１０Ｂ    冷熱利用装置
１２        低温液化ガス循環路
１４        第１熱交換器
１６        循環路（低沸点不活性ガス循環路）
１６ａ、１６ｂ    分岐循環路（低沸点不活性ガス循環路）
１８、１８ａ、１８ｂ    第２熱交換器
２０        ブライン供給路
２２        主循環路
２２ａ、２２ｂ    冷媒供給路
２４ａ、２４ｂ、２４ｃ    分岐循環路
２６ａ、２６ｂ、２６ｃ    冷却負荷
２８ａ、２８ｂ、２８ｃ    温度制御部
３０ａ、３０ｂ    冷凍庫
３０ｃ      冷蔵庫
３２、３２ａ、３２ｂ    送風機
３４、３４ａ、３４ｂ、３６ａ、３６ｂ、３６ｃ    ポンプ
３８ａ、３８ｂ、３８ｃ    第１バイパス路
４０ａ、４０ｂ、４０ｃ    第１流量調整弁
４２ａ、４２ｂ、４２ｃ    第１温度センサ
４４ａ、４４ｂ、４４ｃ    第１制御部
４６ａ、４６ｂ、４６ｃ、５０ａ、５０ｂ、５６、５６ａ、５６ｂ、６６    流量調整弁
４８        第２バイパス路
４８ａ、４８ｂ    バイパス路
５０        第２流量調整弁
５２        第２温度センサ
５２ａ、５２ｂ    温度センサ
５４        第２制御部
５４ａ、５４ｂ    制御部
５８        第３バイパス路
６０        第３流量調整弁
６２        第３温度センサ
６４        第３制御部
６８ａ、６８ｂ    液溜器
７０ａ、７０ｂ    戻り管路
Ｂ          ブライン
Ｇｉ        低沸点不活性ガス
ＬＧ        低温液化ガス
Ｒ          冷媒
【図１】
2017190905.tif 000003
【図２】
2017190905.tif 000004
【図３】
2017190905.tif 000005